(57)【要約】【課題】装置本体と該装置本体の開口部を開閉する開閉部とに跨って配線された電線に対するダメージを防止又は軽減させる。【解決手段】第二開閉扉８６の開放動作に連動し、リンク部材１２４を介して、移動軸１２２が長孔１２０に沿って装置前側にスライドする。移動軸１２２がスライドすると、移動軸１２２が保護部材１１０を装置前側方向に押し、保護部材１１０が装置前側にスライドし、保護部材１１０の装置前面側部分が開口部８０から突出する。そして、開口部８０から突出した保護部材１１０が、装置本体１２と第二開閉扉８６とに跨って配線された電線９０の露出部分９０Ａの上方と装置幅方向両側とを覆って保護する。【選択図】図３
2009031626.tif 000002
【特許請求の範囲】
【請求項１】
装置本体と該装置本体の開口部を開閉する開閉部とに跨って配線された電線と、
前記装置本体に設けられ、前記開閉部が開放されることで露出された前記電線の露出部分を、該装置本体の前記開口部から突出し保護する突出位置と、前記装置本体に格納された格納位置と、に移動可能とされた保護部材と、
前記開閉部の開放動作と連動して前記保護部材を前記突出位置に移動させると共に、前記開閉部の閉鎖動作と連動して前記保護部材を前記格納位置に移動させる保護部材移動機構と、
と備えることを特徴とする電線の配線構造。
【請求項２】
前記開閉部の下端部に回転軸が設けられ、前記電線は前記回転軸の上方を配線されていることを特徴とする請求項１に記載の電線の配線構造。
【請求項３】
前記保護部材移動機構は、
前記装置本体に設けられ、前記保護部材を前記格納位置に付勢する格納用付勢手段と、
前記装置本体に移動可能に設けられた移動部材と、一端が前記開閉部材に回転可能に連結されると共に他端が前記移動部材に回転可能に連結されたリンク部材と、を有し、前記開閉部が開放されると前記リンク部材を介して前記移動部材を移動させると共に該移動部材が前記保護部材を押して前記突出位置に移動させるリンク機構と、
を備えることを特徴とする請求項１、又は請求項２に記載の電線の配線構造。
【請求項４】
前記保護部材移動機構は、
前記保護部材を前記突出位置に付勢する突出用付勢手段と、
前記開閉部に設けられ、該開閉部が閉鎖されると前記保護部材に当って押し、該保護部材を前記格納位置に移動させる保護部材用押込部と、
を備えることを特徴とする請求項１、又は請求項２に記載の電線の配線構造。
【請求項５】
前記前記電線が前記保護部材に連結されていることを特徴とする請求項１〜請求項４のいずれか１項に記載の電線の配線構造。
【請求項６】
記録媒体に画像を形成する画像形成部を有する装置本体と、
請求項１〜請求項５のいずれか１項に記載の電線の配線構造と、
を備えることを特徴とする画像形成装置。
【発明の詳細な説明】
【技術分野】
【０００１】
電線の配線構造及び画像形成装置に関する。
【背景技術】
【０００２】
装置本体と該装置本体の開口部を開閉する開閉部とに跨って配線された電線は、開閉部が開放されると電線が露出したり、開閉部が閉鎖されると電線に余長（弛み）が生じて折れ曲がったりすることがあった。
【０００３】
よって、特許文献１には、車体とドアとの間に配線されたワイヤハーネスを伸縮可能に収容する構造が記載されている（例えば、特許文献１を参照）。
【０００４】
また、特許文献２には、自動車のスライドドア等といったスライド構造体のスライド動作に伴い、電線をケース内で伸縮させて余長（弛み）の吸収を行う構造が記載されている（例えば、特許文献２を参照）。
【０００５】
また、特許文献３には、スライド動作に伴ってワイヤハーネスに大きな余長（弛み）を生じないように、ワイヤハーネスが支持部を支点として揺動する構造が記載されている（例えば、特許文献３を参照）。
【特許文献１】特開２００４−１１４８２２号公報
【特許文献２】特開２００４−１１２９８４号公報
【特許文献３】特開平１０−５３０７７号公報
【発明の開示】
【発明が解決しようとする課題】
【０００６】
本発明は、装置本体と該装置本体の開口部を開閉する開閉部とに跨って配線された電線に対するダメージを防止又は軽減させることが目的である。
【課題を解決するための手段】
【０００７】
請求項１に記載の電線の配線構造は、装置本体と該装置本体の開口部を開閉する開閉部とに跨って配線された電線と、前記装置本体に設けられ、前記開閉部が開放されることで露出された前記電線を、該装置本体の前記開口部から突出されて保護する突出位置と、前記装置本体に格納された格納位置と、に移動可能とされた保護部材と、前記開閉部の開放動作と連動して前記保護部材を前記突出位置に移動させると共に、前記開閉部の閉鎖動作と連動して前記保護部材を前記格納位置に移動させる保護部材移動機構と、と備えることを特徴としている。
【０００８】
請求項２に記載の電線の配線構造は、前記開閉部の下端部に回転軸が設けられ、前記電線は前記回転軸の上方を配線されていることを特徴としている。
【０００９】
請求項３に記載の電線の配線構造は、前記保護部材移動機構は、前記装置本体に設けられ、前記保護部材を前記格納位置に付勢する格納用付勢手段と、前記装置本体に移動可能に設けられた移動部材と、一端が前記開閉部材に回転可能に連結されると共に他端が前記移動部材に回転可能に連結されたリンク部材と、を有し、前記開閉部が開放されると前記リンク部材を介して前記移動部材を移動させると共に該移動部材が前記保護部材を押して前記突出位置に移動させるリンク機構と、を備えることを特徴としている。
【００１０】
請求項４に記載の電線の配線構造は、前記保護部材移動機構は、前記保護部材を前記突出位置に付勢する突出用付勢手段と、前記開閉部に設けられ、該開閉部が閉鎖されると前記保護部材に当って押し該保護部材を前記格納位置に移動させる保護部材用押込部と、を備えることを特徴としている。
【００１１】
請求項５に記載の電線の配線構造は、前記前記電線が前記保護部材に連結されていることを特徴としている。
【００１２】
請求項６に記載の画像形成装置は、記録媒体に画像を形成する画像形成部を有する装置本体と、請求項１〜請求項５のいずれか１項に記載の電線の配線構造と、を備えることを特徴としている。
【発明の効果】
【００１３】
請求項１に記載の電線の配線構造によれば、装置本体の開口部を開閉する開閉部が開放されて露出した電線の露出部分を保護するので、電線に対するダメージを防止又は軽減させることができる、という優れた効果を有する。
【００１４】
請求項２に記載の電線の配線構造によれば、装装置本体の開口部を開閉する開閉部が開放され、上方側が露出した電線の露出部部分を保護するので、電線に対するダメージを防止又は軽減させることができる、という優れた効果を有する。
【００１５】
請求項３に記載の電線の配線構造によれば、装装置本体の開口部を開閉する開閉部が開放されて露出した電線の露出部分を保護するので、電線に対するダメージを防止又は軽減させることができる、という優れた効果を有する。
【００１６】
請求項４に記載の電線の配線構造によれば、装装置本体の開口部を開閉する開閉部が開放されて露出した電線の露出部分を保護するので、電線に対するダメージを防止又は軽減させることができる、という優れた効果を有する。
【００１７】
請求項５に記載の電線の配線構造によれば、装置本体の開口部を開閉する開閉部が開放されて露出した電線の露出部分を保護すると共に、開閉部が閉鎖されて生じる電線の余長を吸収するので、電線に対するダメージを防止又は軽減させることができると、という優れた効果を有する。
【００１８】
請求項６に記載の画像形成装置は、装置本体と該装置本体の開口部を開閉する開閉部とに跨って配線された電線に対するダメージを防止又は軽減させることができると、という優れた効果を有する。
【発明を実施するための最良の形態】
【００１９】
以下、図１から図７を用いて、本発明における第一実施形態について説明する。なお、図中の矢印ＵＰは装置上方向を示し、矢印ＦＲは装置前後方向の前側方向を示し、矢印ＯＵＴは装置幅方向の側面方向（装置幅方向外側方向）を示す。なお、装置前側方向及び装置側面方向は、説明をしやすいように便宜上のこのように規定するだけで、例えば、装置前側を手前側に配置しなければならない装置構成を意味するものではない。
【００２０】
また、イエロー（Ｙ）、マゼンタ（Ｍ）、シアン（Ｃ）、ブラック（Ｋ）の色毎に配設されているものについては、符号（数字）の後に「Ｙ」、「Ｍ」、「Ｃ」、「Ｋ」の英字が付されているものがある。なお、各色で区別する必要がない等場合は、Ｙ，Ｍ，Ｃ，Ｋを省略して説明する。
【００２１】
まず、画像形成装置１０の概要について図１及び図２を用いて説明する。
【００２２】
図１と図２に示すように、画像形成装置１０は、像保持体（感光体）２０Ｙ，２０Ｍ，２０Ｃ，２０Ｋ、クリーニングユニット１６Ｙ，１６Ｍ，１６Ｃ，１６Ｋ、現像ユニット１７Ｙ，１７Ｍ，１７Ｃ，１７Ｋ、画像データに基づいて像保持体２０Ｙ，２０Ｍ，２０Ｃ，２０Ｋにレーザ光を照射し静電電位の差による潜像を形成する光走査装置２４、定着装置３８等を有する画像形成部１１を収容する装置本体１２を有している。また、装置本体１２の装置前側に設けられた開口部８０を開放・閉鎖する第一開閉扉８２及び第二開閉扉８６を有している。
【００２３】
像保持体２０Ｙ，２０Ｍ，２０Ｃ，２０Ｋは、下からイエロー（Ｙ）、マゼンタ（Ｍ）、シアン（Ｃ）、ブラック（Ｋ）の順に鉛直方向に配設されている。また、各像保持体２０Ｙ，２０Ｍ，２０Ｃ，２０Ｋに対応して、クリーニングユニット１６Ｙ，１６Ｍ、１６Ｃ，１６Ｋ及び現像ユニット１７Ｙ，１７、Ｍ，１７Ｃ，１７Ｋも、下からイエロー（Ｙ）、マゼンタ（Ｍ）、シアン（Ｃ）、ブラック（Ｋ）の順に鉛直方向に配設されている。
【００２４】
現像ユニット１７は、現像ローラ２６等を備えている。現像ローラ２６は、像保持体２０と近接して（間隔を持って）対向するように配置され、この現像ローラ２６と像保持体２０との間に現像バイアス電圧が印加されるようになっている。これにより、現像ローラ２６と像保持体２０との間には現像バイアス電界が形成される。
【００２５】
クリーニングユニット１６には、像保持体２０の表面を一様に帯電する帯電ローラ２２やトナー像が転写された後の像保持体２０に摺接しその像保持体２０に残留するトナーをクリーニングするクリーニング部材２８等、が備えられている。なお、帯電ローラ２２は、像保持体２０に圧接され、これらの間に電圧が印加され、圧接部付近の微少間隙内で放電が生じることにより、像保持体２０の表面（周面）を一様に帯電する。
【００２６】
光走査装置２４は、レーザ光を像保持体２０の表面（周面）に走査させ、画像データに基づいた静電潜像を像保持体２０の表面（周面）上に形成する。
【００２７】
装置本体１２の装置前側部分には、上部の駆動ローラ３０と下部の従動ローラ３２とに張架された搬送ベルト３４が配設されており、その搬送ベルト３４の内面側で、駆動ローラ３０と従動ローラ３２の間の所定位置に、各色に対応した四つの転写ローラ３６Ｙ，３６Ｍ，３６Ｃ，３６Ｋが所定の間隔を隔てて各色に対応して配設されている。転写ローラ３６は、搬送ベルト３４を挟んで像保持体２０と対向されると共に転写バイアス電圧が印加され、像保持体２０との間に転写電界を形成する。
【００２８】
装置本体１２の上部には、定着装置３８が配設されている。定着装置３８は、互いの周面が対向して所定の圧力で圧接された加圧ローラ４０と加熱ローラ４２とを備えている。
【００２９】
定着装置３８の上方には、排紙ローラ対４３、４５が設けられている。また、装置本体１２の上面部には、記録用紙Ｐが排出される排紙部４４が設けられている。
【００３０】
また、装置本体１２の下部には、給紙カセット４６が備えられている。この給紙カセット４６は、着脱可能（引き抜き可能）となっており、記録用紙Ｐを補給できるようになっている。
【００３１】
給紙カセット４６の装置前側方向には、給紙ローラ対４８とレジストローラ対４９とが設けられている。
【００３２】
つぎに、上記構成の画像形成装置１０における画像形成プロセスについて説明する。
【００３３】
帯電ローラ２２によって像保持体２０の表面（周面）が一様に帯電される。そして、光走査装置２４からレーザ光（画像光）が像保持体２０の表面（周面）に走査され、画像データに基づいた静電潜像が像保持体２０の表面（周面）上に形成される。その後、現像ユニット１７によって現像され、像保持体２０の表面（周面）にトナー像が形成される。
【００３４】
一方、給紙ローラ対４８により、給紙カセット４６内から１枚ずつ記録用紙Ｐが取り出され、レジストローラ対４９によって所定のタイミングで搬送ベルト３４上に送られると共に、搬送ベルト３４によって吸着搬送される。
【００３５】
そして、搬送ベルト３４に吸着搬送されて通過する記録用紙Ｐ上に、像保持体２０の周面（表面）に形成された各色、すなわち、イエロー（Ｙ）、マゼンタ（Ｍ）、シアン（Ｃ）、ブラック（Ｋ）のトナー像が転写ローラ３６によって順次転写されることによって記録用紙Ｐ上に各色のトナー像が重ね合わされ、フルカラートナー像（未定着像）が形成される。フルカラートナー像が形成された記録用紙Ｐは、搬送ベルト３４によって定着装置３８へ搬送される。
【００３６】
定着装置３８に搬送された記録用紙Ｐは、定着装置３８によって、未定着のフルカラートナー像が加熱・加圧されて定着される。定着装置３８によってフルカラートナー像が定着された記録用紙Ｐは、排紙ローラ対４３、４５によって排紙部４４に排出される。
【００３７】
なお、記録用紙Ｐへの各色のトナー像の転写終了後、像保持体２０の表面（周面）に残留する未転写トナーは、クリーニング部材２８によって除去される。
【００３８】
さて、図１と図２に示すように、前述したように、装置本体１２の開口部８０は、第一開閉扉８２及び第二開閉扉８６とで開放・閉鎖される。第一開閉扉８２は、装置本体１２の開口部８０の上部に回転軸８４を有し、この回転軸８４を軸心として回転されることで開閉される。第二開閉扉８６は、装置本体１２の開口部８０の下部に回転軸８８を有し、この回転軸８８を軸心として回転されることで開閉される。
【００３９】
つぎに、本発明の第一実施形態の電線の配線構造１００について、説明する。
【００４０】
図１及び図３に示すように、装置本体１２の内部の側部の底面部分を、装置前後方向に沿って電線９０が配線されている。電線９０の一方（装置後側）の端部は、装置本体１２に設けられた基板（図示略）に接続されている。また、電線９０は装置本体１２から第二開閉扉８６の内側（の中）へと配線され、図３に示すように、他方の端部が第二開閉扉８６の中に設けられた、例えば、表示パネル等の回路基板ユニット９２に接続されている。なお、電線９０は、本実施形態においては、信号が伝達される信号線とされている。
【００４１】
なお、第二開口扉８６が開口した状態において、電線９０は、装置本体１２と第二開口扉８６とに跨って配線されている部分が露出する。つまり、装置本体１２（の外カバー部分等）から出て回転軸８８の上を通って第二開閉扉８６の中に入っていく構成とされている。そして、第二開口扉８６が開口した状態における電線９０の露出した部分を、露出部分９０Ａとする（図６参照）
【００４２】
図３に示すように、装置本体１２の側部には、電線の配線構造１００が設けられている。図４にも示すように、装置本体１２の側壁１２Ａの装置内側には、内壁１３が側壁１２Ａと平行に配設されている。側壁１２Ａと内壁１３との間には、保護部材１１０が配設されている。保護部材１１０は、板状の取付部１１２と保護部１１４とで構成されている。保護部１１４は、取付部１１２の下端から装置外側方向に延びる天井部１１４Ａと天井部１１４Ａの装置外側端部から下方に延びる板状の側部１１４Ｂとで構成されている。
【００４３】
図３と図５とに示すように、取付部１１２には、装置前後方向を長手方向とする長孔１１６Ａ、１１６Ｂが形成されている。長孔１１６Ａ，１１６Ｂには、内壁１３に設けられた装置外側に突出する軸部１１５Ａ，１１５Ｂが通されている。よって、保護部材１１０は、装置前後方向にスライド自在とされている。
【００４４】
内壁１３の装置後面側部分には、装置前後方向を長手方向とする長孔１２０が形成されている。この長孔１２０には移動軸１２２が通されている。なお、移動軸１２２は長孔１２０に沿って移動自在に取り付けられている。移動軸１２２の装置内側端部には、リンク部材１２４の一方（装置後側）の端部が回転可能に取り付けられている。また、リンク部材１２４の他方（開口部８０側（装置前面側））の端部は第二開閉扉８６に設けられ、装置幅方向を長手方向（軸方向）とする軸部１２６に回転可能に取り付けられている。
【００４５】
よって、図５と図６とに示すように、第二開閉扉８６の開閉に伴い、リンク部材１２４を介して移動軸１２２は長孔１２０に沿って装置前後方向に移動する。なお、第二開閉扉８６の開閉に伴い、リンク部材１２４を介して移動軸１２２が長孔１２０に沿って装置前後方向に移動する機構をリンク機構とする。
【００４６】
また、保護部材１１０の装置後面側の端部には、一端が装置本体１２に取り付けられた引張コイルバネ９６の他端が取り付けられている。つまり、保護部材１１０は、装置後側方向に付勢されている。
【００４７】
図３、図４、図５に示すように、保護部材１１０の保護部１１４の内側、すなわち、天井部１１４Ａの下方及び側部１１４Ｂの装置内側には、回転部材１５０が配設されている。回転部材１５０は、装置前後方向を長手方向とする長細い板状（厚み方向が装置幅方向）とされ、長手方向の中心部が内壁１３から装置外側に突出する回転軸部１５２に回転可能に取り付けられている。また、回転部材１５０には、装置後面側の端部と装置前面側の端部とに、装置側面側方向に突出する前軸部１５４と後軸部１５６が設けられている。
【００４８】
回転部材１５０の装置前側端部の下面には、装置本体１２に下端が固定された圧縮コイルバネ９８の上端が当っている。つまり、回転部材１５０の装置前側端部が上方に付勢されている。よって、第二開閉扉８６が閉鎖状態においては、回転部材１５０は、装置前面側が上方に傾斜した状態なる。換言すると、前軸部１５４が回転軸部１５２よりも上方に位置し、後軸部１５６が回転軸部１５２よりも下方に位置している（図３と図５とを参照）。
【００４９】
なお、前述した移動軸１２２が通されている内壁１３の長孔１２０は、回転部材１５０の回転軸部１５２の上方に且つ、回転軸部１５２よりも若干装置前側まで形成されている。
【００５０】
また、（第二開口扉８６の閉鎖状態における）内壁１３の保護部材１１０の装置前側に装置側面方向に突出する軸部１５が設けられている。
【００５１】
装置本体１２に配線されている電線９０は、保護部材１１０の保護部１１４の内側、すなわち、天井部１１４Ａの下方及び側部１１４Ｂの装置内側に配線されている。
【００５２】
回転部材１５０は、電線９０の配線経路に設けられている。そして、電線９０は、回転部材１５０の後軸部１５６の下を配線されると共に、前軸部１５４の上を配線され、更に、軸部１５の下方を配線されている。また、第二開閉扉８６の回転軸８８の上方を配線されている。
【００５３】
したがって、第二開閉扉８６が閉鎖状態においては、図３、図５に示すように、電線９０はＳ字状に大きく湾曲されて配線される。
【００５４】
つぎに、電線の配線構造１００の動作について説明する。
【００５５】
まず、第二開閉扉８６を閉鎖状態（図１、図３、図５参照）から開放状態（図２、図６参照）とする場合、すなわち、閉じられている第二開閉扉８６を開く場合について説明する。
【００５６】
図５（閉鎖状態）から図６（開放状態）へと示すように、第二開閉扉８６の開放動作に連動して、リンク部材１２４によって、移動軸１２２が長孔１２０に沿って装置前側にスライドする。移動軸１２２がスライドすると、移動軸１２２が保護部材１１０を押し、保護部材１１０が装置前側にスライドする。よって、保護部材１１０の装置前面側部分が開口部８０から突出する。そして、開口部８０から突出した保護部材１１０が、装置本体１２と第二開閉扉８６とに跨って配線された電線９０の露出部分９０Ａの上方と装置幅方向両側とを覆って保護する（図６参照）。
【００５７】
また、第二開閉扉８６が開放されリンク部材１２４によって移動軸１２２が長孔１２０に沿って装置前側にスライドすると、移動軸１２２が、装置前面側が上方に傾斜した回転部材１５０の上面に当り、若干装置前側が下方となるように回転させる。換言すると、前軸部１５４前軸部１５４の方が若干下方となる。
【００５８】
したがって、図６に示すように、第二開閉扉８６が開放状態においては、電線９０は略水平に配線される。なお、より正確には開放状態（図３、図５）よりも、湾曲されていないＳ字形状に配線される（第二開閉扉８６の開放状態における電線９０（図６参照）よりも、閉鎖状態における電線９０（図５参照）の方が、Ｓ字状に大きく湾曲されている）。
【００５９】
つぎに、第二開閉扉８６を開放状態（図２、図６参照）から閉鎖状態（図１、図３、図５参照）とする場合、すなわち、開いている第二開閉扉８６を閉じる場合について説明する。
【００６０】
図６（開放状態）から図５（閉鎖状態）へと示すように、第二開閉扉８６の閉鎖動作に連動して、リンク部材１２４により移動軸１２２が長孔に沿って装置前側にスライドする。よって、保護部材１１０が引張コイルバネ９６によって引っ張られ、装置後面側にスライドし、保護部材１１０が装置本体１２に格納される（図５参照）。
【００６１】
また、第二開閉扉８６が開放されリンク部材１２４によって移動軸１２２が長孔に沿って装置前側にスライドすると、移動軸１２２が回転部材１５０の装置後面側に移動する。これにより、圧縮コイルバネ９８が回転部材１５０の装置前面側を上方に押して回転させる。つまり、開放時の電線９０が殆ど湾曲されていない状態（図６）から、大きくＳ字状に湾曲された状態（図５）となる。よって、第二開閉扉８６の閉鎖状態において発生する電線９０の余長（弛み）が、Ｓ字状に大きく湾曲されることで（配線経路長が長くなることで）吸収される。
【００６２】
なお、上記実施形態において、保護部材１１０と回転部材１５０のいずれか一方のみが設けられた構成であってもよい。
【００６３】
つぎに、本発明の第二実施形態の電線の配線構造２００について説明する。なお、第一実施形態と同様の部材は同一の符合とし、重複する説明は省略する。
【００６４】
図７と図８とに示すように、装置本体１２の側部には、電線の配線構造２００が設けられている。装置本体１２の側壁１２Ａ（図４参照）の装置内側には、内壁１３が側壁１２Ａと平行に配設されている。側壁１２Ａと内壁１３との間には、装置前後方向にスライド自在とされている保護部材１１０が配設されている。なお、保護部材１１０は、第一実施形態と同形状であると共に装置前後方向にスライドする機構も同様であるので、詳しい説明を省略する
【００６５】
保護部材１１０の装置後面側には、一方（装置後面側）の端部が装置本体１２に固定された圧縮コイルバネ２９６が設けられ、圧縮コイルバネ２９６の他方（装置前面側）の端部が保護部材１１０を装置前面方向に付勢している。
【００６６】
図７に示すように、第二開閉扉８６には、装置後側に突出する突出部２２４が設けられている。第二開閉扉８６の閉鎖状態において、突出部２２４の先端２２４Ａは、保護部材１１０の装置前面側端部１１０Ａに当たり、保護部材１１０を装置後側に押し込んでいる。よって、保護部材１１０は装置本体１２の内部に格納される。
【００６７】
装置本体１２に配線されている電線９０は、保護部材１１０の保護部１１４の内側を配線されている。また、保護部１１４の側壁１１４の装置後側端部に設けられたクリップなどの固定部材２１０によって固定されている。
【００６８】
つぎに、電線の配線構造２００の動作について説明する。
【００６９】
まず、第二開閉扉８６を閉鎖状態から開放状態とする場合、すなわち、閉じられている第二開閉扉８６を開く場合について説明する。
【００７０】
図７（閉鎖状態）から図８（開放状態）へと示すように、第二開閉扉８６の開放動作に連動して、突出部２２４が回転移動し、保護部材１１０から離接する。そして、保護部材１１０が圧縮コイルバネ２９６に押され装置前側にスライドする。よって、保護部材１１０の装置前面側部分が開口部８０から突出する。そして、開口部８０から突出した保護部材１１０によって、露出した電線９０の露出部分９０Ａの上方と装置側面側とを覆い保護する。
【００７１】
なお、電線９０を固定している固定部材２１０も装置前側に移動する。電線９０は、保護部材１１０に固定部材２１０で固定されているので、保護部材１１０の装置前側へのスライドによって、電線９０における固定部材２１０よりも装置前面側部分も装置前側に移動する。
【００７２】
つぎに、第二開閉扉８６を開放状態から閉鎖状態とする場合、すなわち、開いている第二開閉扉８６を閉じる場合について説明する。
【００７３】
図８（開放状態）から図７（閉鎖状態）へと示すように、第二開閉扉８６の閉鎖動作に連動して、突出部２２４が回転移動することで、突出部２２４の先端２２４Ａが保護部材１１０の装置前面側端部１１０Ａに当って、装置後面側に押し込む。そして、保護部材１１０が装置本体１２の内部に格納される。
【００７４】
また、電線９０を固定している固定部材２１０も装置後面方向に移動する。電線９０は、保護部材１１０に固定部材２１０で固定されているので、保護部材１１０の装置後側へのスライドによって、電線９０における固定部材２１０よりも装置前面側部分も装置後側に移動する。したがって、第二開閉扉８６の閉鎖状態において発生する、固定部材２１０よりも装置前側の電線９０の余長（弛み）が吸収される。
【００７５】
なお、上記実施形態において、第一実施形態で説明した回転部材１５０も備える構成としてもよい。例えば、図７に想像線で図示するように、保護部材１１０の装置後方側に回転部材１５０を配設してもよい。また、第一実施形態と同様の機構のリンク機構などによって回転部材１５０が回転される構成とすればよい。
【００７６】
このような構成とすると、第二開閉扉８６の閉鎖状態において発生する、固定部材２１０よりも装置後側の電線９０の余長（弛み）も吸収される。
【００７７】
なお、第一実施形態においても、保護部材１１０の装置後方側に回転部材１５０を配設する構成としてもよい。また、このような構成の場合、第二実施形態のように保護部材１１０に電線９０を固定部材２２０で固定してもよい。
【００７８】
つぎに、本発明の第三実施形態の電線の配線構造３００について説明する。なお、第一実施形態と同様の部材は同一の符合とし、重複する説明は省略する。
【００７９】
図９と図１０とに示すように、装置本体１２の側部には、電線の配線構造２００が設けられている。装置本体１２の側壁１２Ａ（図４参照）の装置内側には、内壁１３が側壁１２Ａと平行に配設されている。
【００８０】
回転部材３５０は、装置前後方向を長手方向とする長細い板状（厚み方向が装置幅方向）とされ、内壁１３から装置外側に突出する回転軸３５２に、装置後側の端部が回転可能に取り付けられている。また、回転部材３５０の装置前側の端部に装置外側に突出する前軸３５４が設けられている。更に、装置前側の端部から上方に延びる突起部３５６が設けられている。
【００８１】
回転部材３５０の装置前側端部の下面には、装置本体１２に下端が固定された引張コイルバネ３９６の上端が取り付けられている。つまり、回転部材３５０は、装置前側端側が下方に回転する方向に付勢されている。
【００８２】
第二開閉扉８６には、装置後面側に突出する突出部３２４が設けられている。そして、図９に示すように、第二開閉扉８６の閉鎖状態において、突出部３２４の先端３２４Ａが回転部材３５０の突起部３５６の装置前面側面３５６Ａに当って押し、回転部材３５０の装置前面側を上方に回転させている。よって、第二開閉扉８６が閉鎖状態において、前軸３５４は回転軸３５２よりも上方に位置している。
【００８３】
装置本体１２に配線されている電線９０は、回転部材３５０の装置後側の回転軸３５２の下を配線されると共に、装置前側の前軸３５４の上方を配線され、更に、軸部１５の下方を配線されている。また、第二開閉扉８６の回転軸８８の上方を配線されている。
【００８４】
したがって、第二開閉扉８６が閉鎖状態においては、図９に示すように、電線９０は前軸３５４を頂点とする山形状に大きく湾曲される。
【００８５】
つぎに、電線の配線構造３００の動作について説明する。
【００８６】
まず、第二開閉扉８６を閉鎖状態から開放状態とする場合、すなわち、閉じられている第二開閉扉８６を開く場合について説明する。
【００８７】
図９（閉鎖状態）から図１０（開放状態）へと示すように、第二開閉扉８６の開放動作に連動して、突出部３２４が回転移動し、回転部材３５０の突起部３５６から離接する。そして、回転部材３５０が引張コイルバネ３９６に引っ張られ回転する。そして、内壁１３に設けられたストッパー３６０に当って止まることで、回転部材３５０が略水平となる。換言すると、前軸３５４と回転軸３５２とが略同じ高さに位置する。
【００８８】
したがって、図１０に示すように、第二開閉扉８６が開放状態においては、電線９０は略水平に配線される。なお、より正確には閉鎖状態（図９参照）よりも小さく湾曲された緩やかな山形状となる（第二開閉扉８６の開放状態における電線９０（図１０参照）よりも、閉鎖状態における電線９０（図９参照）の方が、山形状に大きく湾曲されている）。
【００８９】
つぎに、第二開閉扉８６を開放状態から閉鎖状態とする場合、すなわち、開いている第二開閉扉８６を閉じる場合について説明する。
【００９０】
図１０（開放状態）から図９（閉鎖状態）へと示すように、第二開閉扉８６の突出部３２４の回転移動に伴い突出部３２４の先端３２４Ａが回転部材３５０の突起部３５６の装置前面側面３５６Ａに当って押し、回転部材３５０の装置前面側が上方に回転される。つまり、電線９０は、殆ど湾曲されていない状態（図１０）から、山形状に大きく湾曲された状態（図９）となる。よって、第二開閉扉８６の閉鎖状態において発生する電線９０の余長（弛み）が、大きく山状に湾曲されることで（配線経路長が長くなることで）吸収される。
【００９１】
なお、上記実施形態において、第一実施形態及び第二実施形態で説明した保護部材１１０等を備え、第二開閉扉８６の開放状態における電線９０の露出部分９０Ａ（図１０参照）を保護する構成としてもよい。
【００９２】
すなわち換言すれば、
【００９３】
装置本体と該装置本体の開口部を開閉する開閉部とに跨って配線された電線と、
前記装置本体の前記電線の配線経路に回転可能に設けられ、所定の回転方向に回転され前記電線を湾曲させる回転部材と、
前記装置本体に設けられ、前記開閉部の閉鎖動作と連動して前記回転部材を所定の回転方向に回転させると共に、前記開閉部の開放動作と連動して前記回転部材を前記所定の回転方向と逆方向に回転させる回転部材回転機構と、
と備えることを特徴とする電線の配線構造である。
【００９４】
また、前記回転部材回転機構は、
前記装置本体に設けられ、前記所定の回転方向に前記回転部材を付勢する正回転用付勢手段と、
前記装置本体に移動可能に設けられた移動部材と、一端が前記開閉部に回転可能に連結されると共に他端が前記移動部材に回転可能に連結されたリンク部材と、を有し、前記開閉部が開放されると前記リンク部材を介して前記移動部材を移動させると共に該移動部材が前記回転部材を押して、前記所定の回転方向と逆方向に前記回転部材を回転させるリンク機構と、
を備えることを特徴とする電線の配線構造である。
【００９５】
さらに、前記回転部材回転機構は、
前記装置本体に設けられ、前記回転部材を前記所定の回転方向と逆方向に付勢する逆回用付勢手段と、
前記開閉部に設けられ、該開閉部が閉鎖されると前記回転部材に当って押し、前記所定の回転方向に前記回転部材を回転させる回転部材用押込部と、
を備えることを特徴とする電線の配線構造である。    
【００９６】
これらの電線の配線構造によれば、装置本体の開口部を開閉する開閉部が閉鎖されて生じる電線の余長を吸収するので、電線に対するダメージを防止又は軽減させることができると、という優れた効果を有する。
【００９７】
なお、本実施形態は上記実施形態に限定されない。
【００９８】
例えば、上記実施形態では、フルカラー画像を形成する画像形成装置１０に適用したが、これに限定されない。モノクロ（白黒）画像を形成画像形成装置であってもよい。また、所謂、上記実施形態では、電子写真方式によって画像を形成したがこれに限定されない。他の方式で画像を形成する画像形成装置であってもよい。例えば、インクジェット記録方式や熱転写方式などで画像を形成する画像形成装置であってもよい。更に、画像形成装置以外の電子機器装置全般に本発明を適用することができる。
【００９９】
また、上記実施形態では、第二開閉扉８６と装置本体とに跨って配線された電線９０に本発明を適用したが、第一開閉扉８２と装置本体１２とに跨って配線された電線（図示略）にも本発明を適用できる。
【０１００】
また、上記実施形態では、第二開閉扉８６は回転軸が水平であったが、これに限定されない。回転軸が垂直方向の開閉扉であってもよい。
【図面の簡単な説明】
【０１０１】
【図１】本発明の第一実施形態の電線の配線構造が適用された画像形成装置の構成を示す概略側面図である。
【図２】図１の画像形成装置の第一開閉扉と第二開閉扉とが開放された状態を示す概略側面図である。
【図３】本発明の第一実施形態の電線の配線構造を示す斜視図である。
【図４】本発明の第一実施形態の電線の配線構造を示す正面図である。
【図５】第二開閉扉が閉鎖された状態における、第一実施形態の電線の配線構造を示す側面図である。
【図６】第二開閉扉が開放された状態における、第一実施形態の電線の配線構造を示す側面図である。
【図７】第二開閉扉が閉鎖された状態における、第二実施形態の電線の配線構造を示す側面図である。
【図８】第二開閉扉が開放された状態における、第二実施形態の電線の配線構造を示す側面図である。
【図９】第二開閉扉が閉鎖された状態における、第三実施形態の電線の配線構造を示す側面図である。
【図１０】第二開閉扉が開放された状態における、第三実施形態の電線の配線構造を示す側面図である。
【符号の説明】
【０１０２】
１０      画像形成装置
１１      画像形成部
１２      装置本体
８０      開口部
８６      第一開閉扉（開閉部）
８８      回転軸
９０      電線
９０Ａ    露出部分
９６      引張コイルバネ（格納用付勢手段）
９８      圧縮コイルバネ
１００      電線の配線構造。
１１０      保護部材
１２２      移動軸（移動部材）
１２４      リンク
１５０      回転部材
２００      電線の配線構造。
２９６      圧縮コイルバネ（突出用付勢手段）
２２４      突出部（保護部材用押込部）
３００      電線の配線構造。
３２４      突出部
３５０      回転部材
３９６      引張コイルバネ
【図１】
2009031626.tif 000003
【図２】
2009031626.tif 000004
【図３】
2009031626.tif 000005
【図４】
2009031626.tif 000006
【図５】
2009031626.tif 000007
【図６】
2009031626.tif 000008
【図７】
2009031626.tif 000009
【図８】
2009031626.tif 000010
【図９】
2009031626.tif 000011
【図１０】
2009031626.tif 000012